(57)【要約】【課題】  録音する設定になっている場合において、確実にメッセージが入力され、録音部を有効に使用することができる。【解決手段】  居室親機２は、留守時に来訪者からのメッセージの録音を許可するための録音設定ボタン２０と、来訪者からのメッセージを録音する録音部２２を備えると共に、玄関子機は録音を開始する録音開始信号を送出する録音ボタンを備え、居室親機２の親機制御部２５は、録音設定されている状態で玄関子機から呼び出しを受けた後に録音開始信号を受信したら、録音部２２への録音を開始し、玄関子機１から送られてくるメッセージを１５秒間録音する制御を行う。  【選択図】  図２
2007174093.tif 000002
【特許請求の範囲】
【請求項１】
玄関に設置されて居住者を呼び出すための玄関子機と、住戸内に設置されて前記玄関子機からの呼び出しに応答するための居室親機とを有するインターホン装置において、
前記居室親機は、留守時等に来訪者からのメッセージの録音を許可するための録音設定部と、前記来訪者からのメッセージを録音する録音部を備えると共に、前記玄関子機は録音を開始する録音開始信号を送出する録音操作部を備え、
前記居室親機は、録音設定されている状態で前記玄関子機から呼び出しを受けた後に前記録音開始信号を受信したら、前記録音部への録音を開始し、前記玄関子機から送られてくるメッセージを録音する制御を行う録音制御手段を有することを特徴とするインターホン装置。
【請求項２】
前記録音操作部は、居住者を呼び出す呼出ボタンであることを特徴とする請求項１記載のインターホン装置。
【請求項３】
前記録音制御手段は、呼出状態時に前記玄関子機から前記録音開始信号を受信した場合、所定時間録音状態を持続し、前記所定時間が経過すると待ち受け状態に戻す制御を行うことを特徴とする請求項１又は２に記載のインターホン装置。
【請求項４】
前記録音制御手段は、呼出状態時に前記玄関子機から前記録音開始信号を受信した場合、前記録音開始信号を受信し続けている間は録音状態を持続し、前記録音開始信号が途切れた時点で待ち受け状態に戻す制御を行うことを特徴とする請求項１又は２に記載のインターホン装置。
【請求項５】
前記録音制御手段は、録音設定がされている時に前記玄関子機からの呼び出しを受信した場合、メッセージの録音操作案内放送を前記玄関子機から送出する制御を行うことを特徴とする請求項１乃至４の何れかに記載のインターホン装置。
【請求項６】
前記録音制御手段は、前記案内放送を前記玄関子機から送出している最中に前記玄関子機から前記録音開始信号を受信した時は、前記案内放送を終了させて録音状態に移行する制御を行うことを特徴とする請求項５項記載のインターホン装置。
【請求項７】
集合玄関に設置して居住者を呼び出すための集合玄関機と、各住戸に設置されて前記集合玄関機からの呼び出しに応答するための居室親機と、システムを制御する制御機とを有する集合住宅インターホンシステムにおいて、
前記居室親機は、留守時等に来訪者からのメッセージの録音を許可するための録音設定部と、前記来訪者からのメッセージを録音する録音部とを備えると共に、前記集合玄関機は録音を開始する録音開始信号を送出する録音操作部を備え、
前記居室親機は、録音設定されている状態で前記集合玄関機からの呼び出しを受けた後に前記録音開始信号を受信したら、集合玄関機との通話路を形成させる接続信号を前記制御機に送出して通話路を形成させた後に前記録音部への録音を開始し、前記集合玄関機から送られて来るメッセージを録音する制御を行う録音制御手段を有することを特徴とする集合住宅インターホンシステム。
【請求項８】
前記録音操作部は、居住者を呼び出す呼出ボタン等の呼出操作部と兼用することを特徴とする請求項７記載の集合住宅インターホンシステム。
【請求項９】
前記録音制御手段は、呼出状態時に前記集合玄関機から前記録音開始信号を受信した場合、所定時間録音状態を持続し、前記所定時間が経過すると待ち受け状態に戻すと共に、前記制御機に対して録音終了信号を送出して前記集合玄関機と前記居室親機間の通話路を遮断する制御を行うことを特徴とする請求項７又は８に記載の集合住宅インターホンシステム。
【請求項１０】
前記録音制御手段は、呼出状態時に前記集合玄関機から前記録音開始信号を受信した場合、前記録音開始信号を受信し続けている間は録音状態を持続し、前記録音開始信号が途切れた時点で待ち受け状態に戻すと共に、前記制御機に対して録音終了信号を送出して前記集合玄関機と前記居室親機間の通話路を遮断する制御を行うことを特徴とする請求項７又は８に記載の集合住宅インターホンシステム。
【請求項１１】
前記録音制御手段は、録音設定がされている時に前記集合玄関機からの呼び出しを受信した場合、メッセージの録音操作案内放送を前記集合玄関機から送出する制御を行うことを特徴とする請求項７乃至１０の何れかに記載の集合住宅インターホンシステム。
【請求項１２】
前記録音制御手段は、前記案内放送を前記集合玄関機から送出している最中に前記集合玄関機から前記録音開始信号を受信した時は、前記案内放送を終了させて録音状態に移行する制御を行うことを特徴とする請求項１１記載の集合住宅インターホンシステム。
【請求項１３】
集合玄関に設置して居住者を呼び出すための集合玄関機と、各住戸に設置されて前記集合玄関機からの呼び出しに応答するための居室親機と、システムを制御する制御機とを有する集合住宅インターホンシステムにおいて、
前記居室親機は、留守時等に来訪者からのメッセージの録音を許可するための録音設定部と、前記来訪者からのメッセージを録音する録音部とを備えると共に、前記玄関子機は録音を開始する録音開始信号を送出する録音操作部を備え、
前記制御機は、前記録音設定部で録音設定されているか否かを登録する設定登録部を備えて、前記集合玄関機から呼び出しが成された居室親機が前記設定登録部において録音設定状態にある場合は、その呼出信号を受けて前記集合玄関機と当該居室親機との通話路を形成し、その後集合玄関機から前記録音開始信号が送信されたら、前記集合玄関機からのメッセージを前記居室親機の録音部に録音させる制御を行うことを特徴とする集合住宅インターホンシステム。
【請求項１４】
前記録音操作部は、居住者を呼び出す呼出ボタン等の呼出操作部と兼用することを特徴とする請求項１３記載の集合住宅インターホンシステム。
【請求項１５】
前記居室親機は、呼出状態時に前記集合玄関機から前記録音開始信号を受信した場合、所定時間録音状態を持続し、前記所定時間が経過したら待ち受け状態に戻すと共に、前記制御機に対して録音終了信号を送出して前記集合玄関機と前記居室親機間の通話路を遮断する制御を行う録音制御手段を有することを特徴とする請求項１３又は１４に記載の集合住宅インターホンシステム。
【請求項１６】
前記居室親機は、呼出状態時に前記集合玄関機から前記録音開始信号を受信した場合、録音開始信号を受信し続けている間は録音状態を持続し、前記録音開始信号が途切れた時点で待ち受け状態に戻すと共に、前記制御機に対して録音終了信号を送出して前記集合玄関機と前記居室親機間の通話路を遮断する制御を行う録音制御手段を有することを特徴とする請求項１３又は１４に記載の集合住宅インターホンシステム。
【請求項１７】
前記制御機は、呼出状態時に前記集合玄関機から前記録音開始信号を受信した場合、所定時間録音状態を持続し、前記所定時間が経過したら待ち受け状態に戻すと共に、前記集合玄関機と前記居室親機間の通話路を遮断する制御を行うことを特徴とする請求項１３又は１４に記載の集合住宅インターホンシステム。
【請求項１８】
前記制御機は、呼出状態時に前記集合玄関機から前記録音開始信号を受信した場合、前記録音開始信号を受信し続けている間は録音状態を持続し、録音開始信号が途切れた時点で待ち受け状態に戻すと共に、前記集合玄関機と前記居室親機間の通話路を遮断する制御を行うことを特徴とする請求項１３又は１４に記載の集合住宅インターホンシステム。
【請求項１９】
前記制御機は、前記設定登録部において録音設定状態にある居室親機が前記集合玄関機から呼び出された時、メッセージの録音操作案内放送を前記集合玄関機から送出する制御を行うことを特徴とする請求項１３乃至１８の何れかに記載の集合住宅インターホンシステム。
【請求項２０】
前記制御機は、前記案内放送を前記集合玄関機から送出している最中に前記集合玄関機から前記録音開始信号を受信した時は、前記案内放送を終了させて録音状態に移行する制御を行うことを特徴とする請求項１９記載の集合住宅インターホンシステム。
【発明の詳細な説明】
【技術分野】
【０００１】
本発明は、インターホン装置および集合住宅インターホンシステムに関し、特に留守録機能機能を備えて来訪者のメッセージを録音する機能を備えたインターホン装置および集合住宅インターホンシステムに関する。
【背景技術】
【０００２】
従来より、留守中に来訪者があった場合に、来訪者のメッセージを録音可能とした留守録機能を備えた個別住宅対応のインターホン装置や、集合住宅対応の集合住宅インターホンシステムがある。例えば、インターホン装置としては特許文献１に記載された構成のものがあり、留守録設定にすることで、来訪者のメッセージを録音すると共に来訪者映像を録画するよう構成されたものがある。
【特許文献１】特開２００４−１２０１２９号公報
【発明の開示】
【発明が解決しようとする課題】
【０００３】
しかしながら、従来のインターホン装置および集合住宅インターホンシステムにおいては、居室親機にて録音設定がなされると、来訪者が呼び出しを行ったときに無条件で所定時間（例えば１５秒間）録音を実施する。そのため、留守であることを知った来訪者がメッセージを入れないで帰ってしまう場合には居住者が録音を再生すると無音となってしまう。
通常、録音するメモリ等の録音部は容量があまり大きくなく、２０件程度しか録音できない構成となっており、録音部の空き領域が無くなるとその後は古いものから順に上書きして新たな録音が成されるようにプログラムされている。そのため、来訪者が続いたり、いたずらされて呼出ボタンが押された場合、重要なメッセージが消えてしまったり、メッセージの入っていない無音状態が長く続く虞があった。
【０００４】
そこで、本発明はこのような問題点に鑑み、録音する設定になっている場合において、確実にメッセージが入力され、録音部を有効に使用することができるインターホン装置および集合住宅インターホンシステムを提供することを目的としている。
【課題を解決するための手段】
【０００５】
上記課題を解決する為に、請求項１に記載の発明は、玄関に設置されて居住者を呼び出すための玄関子機と、住戸内に設置されて玄関子機からの呼び出しに応答するための居室親機とを有するインターホン装置において、居室親機は、留守時等に来訪者からのメッセージの録音を許可するための録音設定部と、来訪者からのメッセージを録音する録音部を備えると共に、玄関子機は録音を開始する録音開始信号を送出する録音操作部を備え、居室親機は、録音設定されている状態で玄関子機から呼び出しを受けた後に録音開始信号を受信したら、録音部への録音を開始し、玄関子機から送られてくるメッセージを録音する制御を行う録音制御手段を有することを特徴とする。
この発明によれば、来訪者がメッセージを残したい時のみ録音することが可能となり、録音部を無駄に使用することが無くなる。また、居住者にとってもメッセージが確実に残っているもののみが録音されているので、何も録音されていないものを時間をかけて聞く必要がなくなる。
【０００６】
請求項２の発明は、請求項１に記載の発明において、録音操作部は、居住者を呼び出す呼出ボタンであることを特徴とする。
この発明によれば、メッセージ録音の為のボタンを別途設けることなくメッセージの録音操作ができるので、部品点数を削減することができる。
【０００７】
請求項３の発明は、請求項１又は２に記載の発明において、録音制御手段は、呼出状態時に玄関子機から録音開始信号を受信した場合、所定時間録音状態を持続し、所定時間が経過すると待ち受け状態に戻す制御を行うことを特徴とする。
この発明によれば、来訪者が録音操作するときには１度の操作で録音動作するので操作性がよい。
【０００８】
請求項４の発明は、請求項１又は２に記載の発明において、録音制御手段は、呼出状態時に玄関子機から録音開始信号を受信した場合、録音開始信号を受信し続けている間は録音状態を持続し、録音開始信号が途切れた時点で待ち受け状態に戻す制御を行うことを特徴とする。
この発明によれば、来訪者が録音操作し続けている間は録音を続けるため、メッセージの長さに合わせて録音時間が変わり、録音部をさらに有効に使用することができる。また、メッセージが長くても最後まで録音できるし、録音時間をカウントするためのタイマを設ける必要がない。
【０００９】
請求項５の発明は、請求項１乃至４の何れかに記載の発明において、録音制御手段は、録音設定がされている時に玄関子機からの呼び出しを受信した場合、メッセージの録音操作案内放送を玄関子機から送出する制御を行うことを特徴とする。
この発明によれば、来訪者はメッセージを録音したい場合の操作を案内放送により知ることができるため、録音をスムーズに実施できる。
【００１０】
請求項６の発明は、請求項５に項記載の発明において、録音制御手段は、案内放送を玄関子機から送出している最中に玄関子機から録音開始信号を受信した時は、案内放送を終了させて録音状態に移行する制御を行うことを特徴とする。
この発明によれば、メッセージの録音操作を知っている来訪者は、案内放送の終了を待つこと無くメッセージの録音に入ることができる。
【００１１】
請求項７の発明は、集合玄関に設置して居住者を呼び出すための集合玄関機と、各住戸に設置されて集合玄関機からの呼び出しに応答するための居室親機と、システムを制御する制御機とを有する集合住宅インターホンシステムにおいて、居室親機は、留守時等に来訪者からのメッセージの録音を許可するための録音設定部と、来訪者からのメッセージを録音する録音部とを備えると共に、集合玄関機は録音を開始する録音開始信号を送出する録音操作部を備え、居室親機は、録音設定されている状態で集合玄関機からの呼び出しを受けた後に録音開始信号を受信したら、集合玄関機との通話路を形成させる接続信号を制御機に送出して通話路を形成させた後に録音部への録音を開始し、集合玄関機から送られて来るメッセージを録音する制御を行う録音制御手段を有することを特徴とする。
この発明によれば、来訪者がメッセージを残したい時のみ録音することが可能となり、録音部を無駄に使用することが無くなる。また、居住者にとってもメッセージが確実に残っているもののみが録音されているので、何も録音されていないものを時間をかけて聞く必要がなくなる。
【００１２】
請求項８の発明は、請求項７記載の発明において、録音操作部は、居住者を呼び出す呼出ボタン等の呼出操作部と兼用することを特徴とする。
この発明によれば、メッセージ録音の為のボタンを別途設けることなくメッセージの録音操作ができるので、部品点数を削減することができる。
【００１３】
請求項９の発明は、請求項７又は８に記載の発明において、録音制御手段は、呼出状態時に集合玄関機から録音開始信号を受信した場合、所定時間録音状態を持続し、所定時間が経過すると待ち受け状態に戻すと共に、制御機に対して録音終了信号を送出して集合玄関機と居室親機間の通話路を遮断する制御を行うことを特徴とする。
この発明によれば、来訪者が録音操作するときには１度の操作で録音動作するので操作性がよい。
【００１４】
請求項１０の発明は、請求項７又は８に記載の発明において、録音制御手段は、呼出状態時に集合玄関機から録音開始信号を受信した場合、録音開始信号を受信し続けている間は録音状態を持続し、録音開始信号が途切れた時点で待ち受け状態に戻すと共に、制御機に対して録音終了信号を送出して集合玄関機と居室親機間の通話路を遮断する制御を行うことを特徴とする。
この発明によれば、来訪者が録音操作し続けている間は録音を続けるため、メッセージの長さに合わせて録音時間が変わり、録音部をさらに有効に使用することができる。また、メッセージが長くても最後まで録音できるし、録音時間をカウントするためのタイマを設ける必要がない。
【００１５】
請求項１１の発明は、請求項７乃至１０の何れかに記載の発明において、録音制御手段は、録音設定がされている時に集合玄関機からの呼び出しを受信した場合、メッセージの録音操作案内放送を集合玄関機から送出する制御を行うことを特徴とする。
この発明によれば、来訪者はメッセージを録音してほしい場合の操作を案内放送により知ることができるため、録音をスムーズに実施できる。
【００１６】
請求項１２の発明は、請求項１１に記載の発明において、録音制御手段は、案内放送を集合玄関機から送出している最中に集合玄関機から録音開始信号を受信した時は、案内放送を終了させて録音状態に移行する制御を行うことを特徴とする。
この発明によれば、メッセージの録音操作を知っている来訪者は、案内放送の終了を待つこと無くメッセージの録音に入ることができる。
【００１７】
請求項１３の発明は、集合玄関に設置して居住者を呼び出すための集合玄関機と、各住戸に設置されて集合玄関機からの呼び出しに応答するための居室親機と、システムを制御する制御機とを有する集合住宅インターホンシステムにおいて、居室親機は、留守時等に来訪者からのメッセージの録音を許可するための録音設定部と、来訪者からのメッセージを録音する録音部とを備えると共に、玄関子機は録音を開始する録音開始信号を送出する録音操作部を備え、制御機は、録音設定部で録音設定されているか否かを登録する設定登録部を備えて、集合玄関機から呼び出しが成された居室親機が設定登録部において録音設定状態にある場合は、その呼出信号を受けて集合玄関機と当該居室親機との通話路を形成し、その後集合玄関機から録音開始信号が送信されたら、集合玄関機からのメッセージを居室親機の録音部に録音させる制御を行うことを特徴とする。
この発明によれば、来訪者がメッセージを残したい時のみ録音することが可能となり、録音部を無駄に使用することはない。また、居住者にとってもメッセージが確実に残っているもののみが録音されているので、何も録音されていないものを時間をかけて聞く必要がなくなる。更に、居室親機からの信号を待つことなく録音動作するので、来訪者の待ち時間を短くできる。
【００１８】
請求項１４の発明は、請求項１３に記載の発明において、録音操作部は、居住者を呼び出す呼出ボタン等の呼出操作部と兼用することを特徴とする。
この発明によれば、メッセージ録音の為のボタンを別途設けることなくメッセージの録音操作ができるので、部品点数を削減することができる。
【００１９】
請求項１５の発明は、請求項１３又は１４に記載の発明において、居室親機は、呼出状態時に集合玄関機から録音開始信号を受信した場合、所定時間録音状態を持続し、所定時間が経過したら待ち受け状態に戻すと共に、制御機に対して録音終了信号を送出して集合玄関機と居室親機間の通話路を遮断する制御を行う録音制御手段を有することを特徴とする。
この発明によれば、来訪者が録音操作するときには１度の操作で録音動作するので操作性がよい。
【００２０】
請求項１６の発明は、請求項１３又は１４に記載の発明において、居室親機は、呼出状態時に集合玄関機から録音開始信号を受信した場合、録音開始信号を受信し続けている間は録音状態を持続し、録音開始信号が途切れた時点で待ち受け状態に戻すと共に、制御機に対して録音終了信号を送出して集合玄関機と居室親機間の通話路を遮断する制御を行う録音制御手段を有することを特徴とする。
この発明によれば、来訪者が録音操作し続けている間は録音を続けるため、メッセージの長さに合わせて録音時間が変わり、録音部をさらに有効に使用することができる。また、メッセージが長くても最後まで録音できるし、録音時間をカウントするためのタイマを設ける必要がない。
【００２１】
請求項１７の発明は、請求項１３又は１４に記載の発明において、制御機は、呼出状態時に集合玄関機から録音開始信号を受信した場合、所定時間録音状態を持続し、所定時間が経過したら待ち受け状態に戻すと共に、集合玄関機と居室親機間の通話路を遮断する制御を行うことを特徴とする。
この発明によれば、来訪者が録音操作するときには１度の操作で録音動作するので操作性がよい。
【００２２】
請求項１８の発明は、請求項１３又は１４に記載の発明において、制御機は、呼出状態時に集合玄関機から録音開始信号を受信した場合、録音開始信号を受信し続けている間は録音状態を持続し、録音開始信号が途切れた時点で待ち受け状態に戻すと共に、集合玄関機と居室親機間の通話路を遮断する制御を行うことを特徴とする。
この発明によれば、来訪者が録音操作し続けている間は録音を続けるため、メッセージの長さに合わせて録音時間が変わり、録音部をさらに有効に使用することができる。また、メッセージが長くても最後まで録音できる。
【００２３】
請求項１９の発明は、請求項１３乃至１８の何れかに記載の発明において、制御機は、設定登録部において録音設定状態にある居室親機が集合玄関機から呼び出された時、メッセージの録音操作案内放送を集合玄関機から送出する制御を行うことを特徴とする。
この発明によれば、来訪者はメッセージを録音してほしい場合の操作を案内放送により知ることができるため、録音をスムーズに実施できる。また、案内放送の内容は制御機に記憶させておけば良く、個々の居室親機に記憶させておく必要が無くなり、コストを削減できる。
【００２４】
請求項２０発明は、請求項１９に記載の発明において、制御機は、案内放送を集合玄関機から送出している最中に集合玄関機から録音開始信号を受信した時は、案内放送を終了させて録音状態に移行する制御を行うことを特徴とする。
この発明によれば、メッセージの録音操作を知っている来訪者は、案内放送の終了を待つこと無くメッセージの録音に入ることができる。
【発明の効果】
【００２５】
このように、本発明によれば、来訪者がメッセージを残したい時のみ録音することが可能となり、録音部を無駄に使用することが無くなる。また、居住者にとってもメッセージが確実に残っているもののみが録音されているので、何も録音されていない録音を時間をかけて聞く必要がなくなる。
【発明を実施するための最良の形態】
【００２６】
以下、本発明を具体化した実施の形態を、図面に基づいて詳細に説明する。図１は本発明に係るインターホン装置の構成図であり、１は玄関に設置される玄関子機、２は住戸内に設置される居室親機である。玄関子機１には、呼出ボタン３、マイク４、スピーカ５、来訪者を撮像するカメラ６、メッセージを録音するための録音ボタン７が設けられ、居室親機２には、呼び出しに対して応答操作する通話ボタン１１、マイク１２、スピーカ１３、カメラ６の撮像映像を映し出すモニタ１４が設けられ、玄関子機１と居室親機２は信号線１５で接続されている。尚、モニタ１４はタッチパネルが取り付けられて各種操作をする操作部を兼ねている。
【００２７】
この居室親機２は、図２の回路ブロック図に示すように構成されている。図２において、１７は玄関子機１から変調されて送られてきた映像信号を復調する復調回路等を有する映像処理回路、１８は送話／受話の切替等を行う通話回路、１９は各種設定操作を行う操作部、２０は留守録を設定するための録音設定ボタン（録音設定部）、２１は所定時間を計時するタイマ、２２はメッセージを録音するＥＥＰＲＯＭやフラッシュメモリ等から成る録音部、２３は映像を保存するＥＥＰＲＯＭやフラッシュメモリ等から成る録画部、２４は親機ＩＦ（インターフェイス）、２５はＣＰＵで構成される親機制御部である。
【００２８】
このように構成されたインターホン装置の動作を以下説明する。但し、玄関子機１からの呼び出し、及び居室親機２からの応答動作、更にはカメラ６の撮像、モニタ１４の出画動作等は従来と同様であるし、本発明の要部ではないので省略し、録音設定状態の動作を説明する。
【００２９】
居住者により居室親機２の録音設定ボタン２０が操作されると、居室親機２は録音設定状態になる。この状態で来訪者が玄関子機１の呼出ボタン３を操作すると、呼出信号が親機ＩＦ２４を介して録音制御手段としての親機制御部２５で検出される。すると親機制御部２５は、スピーカ１３から呼出音を放音させると共に、現在録音設定がされていることを認識して内蔵する音声ＲＯＭ（図示せず）から案内放送を玄関子機１に出力する。
【００３０】
玄関子機１では、居室親機２の呼出動作に合わせて呼出確認音がスピーカ５から出力され、その後案内放送、例えば「ただいま応答できません。録音ボタンを押してから１５秒以内でご用件をお話ください」がスピーカ５から出力される。この案内放送により、メッセージを残したい来訪者はメッセージ録音操作を把握でき、録音ボタン７が操作される。この操作により、録音開始信号が居室親機２に送信され、親機制御部２５にて検出される。親機制御部２５は、この信号を受けて録音部２２を能動として録音を開始し、タイマ２１をスタートして１５秒を計時する。
そして、来訪者のメッセージがマイク４を介して入力されたら、通話回路１８を介して録音部２２に録音される。その後、親機制御部２５はタイマ２１が１５秒の計時を終了したことを検出すると、自動的に待ち受け状態に移行させる制御を行う。
【００３１】
また、案内放送が流れている最中であっても録音ボタン７を押下すれば、その操作を親機制御部２５が検出し、案内放送を途中で停止させて上述する動作と同様に、録音を開始するよう動作設定されている。この動作設定により、来訪者が操作方法を知っている場合は、いちいち案内放送の終了を待つ必要が無く、速やかに録音モードに入ることができる。
【００３２】
このように、来訪者がメッセージを残したい時のみ録音することが可能となり、録音部を無駄に使用することはない。また、居住者にとってもメッセージが確実に残っているもののみが録音されているので、居住者は何も録音されていないものを時間をかけて聞く必要がなくなる。
また、例えば１５秒と、所定時間で録音は終了するので、来訪者が録音操作するときには１度の操作で録音動作するので操作性がよいし、来訪者はメッセージを録音してほしい場合の操作を案内放送により知ることができるため、録音をスムーズに実施できる。
更に、玄関子機から録音開始信号を受信したら案内放送が途中でも終了させて録音動作に移行するので、メッセージの録音操作を知っている来訪者は、案内放送の終了を待つこと無くメッセージの録音に入ることができる。
【００３３】
尚、録音ボタン７が操作されたら、操作確認音（「ピッ」）あるいは操作メッセージ（「録音開始します」）を流すと、来訪者に対して操作が間違っていないことを認識させることができるので好ましい。また、タイマ２１が１５秒を計時したら玄関子機１に対して「メッセージをお預かりします」といったメッセージを流すようにすると良い。更に、録音ボタン７にＬＥＤを内蔵しておき、呼出ボタン７を操作した後にＬＥＤを点滅させて、録音ボタン７の存在を視認させるようにしても良い。
また、留守録設定状態では、メッセージの録音動作以外に、独立してカメラ６が撮像した来訪者映像を保存する動作が実施される。この録画動作は、呼出ボタン３が操作されて呼び出しが成された時点で開始され、録音ボタン７の操作に連動しないが、他の方法として連動させてメッセージ録音中の来訪者映像を録画部３０に録画させてもよい。
【００３４】
次に、録音設定状態の動作の他の例を説明する。居住者により居室親機２の録音設定ボタン２０が操作されると、居室親機２は録音設定状態になる。この状態で来訪者が玄関子機１の呼出ボタン３を操作すると、呼出信号が親機ＩＦ２４を介して親機制御部２５で検出される。すると親機制御部２５は、スピーカ１３から呼出音を放音させると共に、現在録音設定状態にあることを認識し、親機制御部２５は、内蔵する音声ＲＯＭから案内放送を玄関子機１に出力する。
【００３５】
玄関子機１では、居室親機２の呼出動作に合わせて呼出確認音が鳴動し、その後案内放送として例えば「ただいま応答できません。録音ボタンを押しながら用件をお話ください」と案内放送がスピーカから出力される。この案内放送により、メッセージを残したい来訪者はメッセージ録音操作を把握でき、録音ボタン７が操作される。この操作は録音開始及び持続信号として居室親機２に送信され、親機制御部２５にて検出され、親機制御部２５は録音部２２を能動として録音を開始し、録音ボタン７の操作が解除されるまで録音が実施される。
こうして、来訪者の話したメッセージはマイク４を介して入力され、通話回路１８を介して録音部２２に録音される。その後、録音ボタン２０の操作が解除されたら、親機制御部２５は待ち受け状態に移行させる制御を行う。
【００３６】
このように、来訪者が録音操作し続けている間は録音を続けるため、メッセージの長さに合わせて録音時間が変わり、録音部をさらに有効に使用することができる。また、メッセージが長くても最後まで録音できるし、録音時間をカウントするためのタイマを設ける必要がなくなる。
【００３７】
尚、上記実施形態では録音ボタン１５を専用のボタンとしているが、呼出ボタン３と兼用させても良い。このとき、呼び出し操作した後に案内放送として、例えば「ただいま応答できません。呼出ボタンを押した後用件をお話ください」、或いは「ただいま応答できません。呼出ボタンを押しながら用件をお話ください」等の案内放送を玄関子機１のスピーカ５から出力すれば、この案内放送を聞いた来訪者は呼出ボタン３を操作してメッセージを録音できることを認識でき、専用ボタンを操作する場合と同様に録音できるし、部品点数を削減できる。この場合、呼出ボタン３を１回押すと居室親機２は留守録モードに移行するので、その後操作された呼出ボタン３は録音ボタンとして認識するので再度呼出音が鳴動することはない。
【００３８】
次に、本発明に係る集合住宅インターホンシステムについて、その実施形態の一例を図３〜図５を基に説明する。図３に示すシステムの構成図において、２８は集合玄関に設置されて居住者を呼び出すための集合玄関機、２９は各住戸に設置されて集合玄関機２８の呼び出しに応答するための居室親機、３０は通話路を制御する制御機、３１は管理室に設置される管理室親機であり、集合玄関機２８、各居室親機２９、管理室親機３１は制御機３０を介して夫々信号線３２ａ〜３２ｃで接続されている。尚、３３は制御機３０と居室親機２９間の通話・映像路を接続する住戸アダプタであって、居室親機２９によって制御される（詳述せず）。
【００３９】
集合玄関機２８は、テンキー３４、呼出ボタン３５、マイク３６、スピーカ３７、録音ボタン３８、カメラ３９、表示部４０を有している。居室親機２９は図４の回路ブロック図に示すように構成され、４１は集合玄関機２８から変調されて送られてきた映像信号を復調する復調回路等を有する映像処理回路、４２は来訪者映像を出画するモニタ、４３はスピーカ４３ａ及びマイク４３ｂにより通話を行うための通話回路、４４は各種設定操作を行う操作部、４５は留守録するための録音設定ボタン（録音設定部）、４６は所定時間を計時するタイマ、４７はメッセージを録音するＥＥＰＲＯＭやフラッシュメモリ等から成る録音部、４８は映像を保存するＥＥＰＲＯＭやフラッシュメモリ等から成る録画部、４９は親機ＩＦ（インターフェイス）、５０はＣＰＵで構成される親機制御部である。尚、モニタ４２はタッチパネルが取り付けられて操作部４４と一体に構成されている。
【００４０】
制御機３０は、図５の回路ブロック図に示すよう構成されている。図５において、５５は集合玄関機２８とデータ通信するための第１データＩＦ、５６は居室親機２９及び住戸アダプタ３３とデータ通信するための第２データＩＦ、５７は通話チャンネルを切り換えるチャンネル切替部（ＣＨ切替部）、５８はＣＰＵである。
【００４１】
上記構成の集合住宅インターホンシステムは次のように動作する。但し、集合玄関機２８からの呼び出し、及び居室親機２９からの応答動作、また集合玄関機２８、居室親機２９、管理室親機３１夫々の間の通話、更にはカメラ３９の撮像、モニタ４２の出画動作等は従来と同様であるし、本発明の要部ではないので省略し、録音設定状態の動作を説明する。
【００４２】
居住者により居室親機２９の録音設定ボタン４５が操作されると、居室親機２９は録音設定状態になる。この状態で来訪者が集合玄関機２８のテンキー３４及び呼出ボタン３５を操作して目的の住戸（居室）を選択して呼び出すと、居室ＩＤが付加された呼出信号が制御機３０を介して対象となる居室親機２９に伝送される。対応するＩＤを有した居室親機２９では、親機ＩＦ４９を介して呼出信号が録音制御部としての親機制御部５０で検出され、親機制御部５０は、スピーカ４３ａから呼出音を放音させると共に、現在録音設定がされていることを認識して、制御機３０へ通話路を形成させる接続信号を送信する。この信号を受けて、制御機３０は集合玄関機２８と呼び出した居室親機２９との通話路を形成する。
【００４３】
更に、親機制御部５０は、居室親機２９を録音モードに移行させ、住戸アダプタ３３に制御機３０と居室親機２９の間の通話路を形成させる制御を行う。これによって、録音可能な状態となり、録音モードにある居室親機２９の親機制御部５０は、内蔵する音声ＲＯＭ（図示せず）から案内放送を制御機３０を介して集合玄関機２８に出力する。
【００４４】
集合玄関機２８では、居室親機２９の呼出動作に合わせて呼出確認音がスピーカ３７から出力され、その後案内放送、例えば「ただいま応答できません。録音ボタンを押してから１５秒以内でご用件をお話ください」がスピーカ３７から出力される。この案内放送により、メッセージを残したい来訪者はメッセージ録音操作を把握でき、録音ボタン３８が操作される。この操作は録音開始信号として居室ＩＤが付加されて送信され、制御機３０を介して居室親機２９に送信され、親機制御部５０にて検出される。親機制御部５０は、この信号を受けて録音部４７を能動として録音を開始し、タイマ４６をスタートして１５秒を計時する。
【００４５】
そして、来訪者のメッセージがマイク３６を介して入力されたら、メッセージは制御機３０、住戸アダプタ３３を介して居室親機２９に送信され、通話回路４３を介して録音部４７に録音される。その後、親機制御部５０はタイマ４６が１５秒の計時を終了したことを検出すると、自動的に待ち受け状態に移行させる制御を行う。そして、制御機３０に対して録音終了信号を送出して集合玄関機２８と居室親機２９の通話路を遮断させる。
また、案内放送が流れている最中であっても録音ボタン３８を押下すれば、その操作を親機制御部５０が検出し、案内放送を途中で停止させて上述する動作と同様に、録音を開始するよう動作設定されている。この設定により、来訪者が操作方法を知っている場合は、いちいち案内放送の終了を待つ必要が無く、速やかに録音モードに入ることができる。
【００４６】
このように、来訪者がメッセージを残したい時のみ録音することが可能となり、録音部を無駄に使用することはない。また、居住者にとってもメッセージが確実に残っているもののみが録音されているので、居住者は何も録音されていないものを時間をかけて聞く必要がなくなる。
また、例えば１５秒と、所定時間で録音は終了するので、来訪者が録音操作するときには１度の操作で録音動作するので操作性がよいし、来訪者はメッセージを録音してほしい場合の操作を案内放送により知ることができるため、録音をスムーズに実施できる。
更に、集合玄関機から録音開始信号を受信したら案内放送が途中でも終了させて録音動作に移行するので、メッセージの録音操作を知っている来訪者は、案内放送の終了を待つこと無くメッセージの録音に入ることができる。
【００４７】
尚、録音ボタン３８が操作されたら、操作確認音（「ピッ」）あるいは操作メッセージ（「録音開始します」）を流してもよい。また、タイマ４６が計時を終了したら集合玄関機２８から「メッセージをお預かりします」といったメッセージを流すようにしてもよい。更に、録音ボタン３８にＬＥＤを内蔵しておき、呼出ボタン３５を操作した後にＬＥＤを点滅させて、録音ボタン３８の存在を来訪者に視認し易くするとなお良い。
また、録音ボタン３８を押して１５秒間録音する設定となっているが、上記戸建て住宅用インターホン装置のように録音ボタン３８を押している間のみ録音させるように制御してもよい。この場合は、集合玄関機２８の録音ボタン３８が押されていることを継続的に親機制御部５０で検出させれば良く、来訪者が録音操作し続けている間のみ録音でき、録音部をさらに有効に活用することができるし、メッセージが長くても最後まで録音できる。
【００４８】
次に、本発明に係る集合住宅インターホンシステムの他の例を図６の制御機６１の回路ブロック図を基に説明する。上記図３〜図５に示す実施形態とは制御機の構成が異なり、制御機６１には各居室親機２９で設定した録音設定を登録する設定登録部としてのメモリ６２が設けられている。尚、他の構成要素は上記実施形態と同様であり、同一の符号を使用して説明を省略する。
この構成の場合、制御機６１は個々の居室親機２９が録音設定操作或いはその解除操作をしたら、その都度情報を受け取りメモリ６２に記憶する。そして、集合玄関機２８で呼出操作が行われたら、呼び出された居室親機２９が録音設定状態にあるかメモリ６２で確認し、録音設定状態であれば、上述するようなメッセージの録音操作案内放送を集合玄関機２８から送出する制御を行う。同時に、呼出信号を居室親機２９に送信し、集合玄関機２８と居室親機２９の間の通話路を形成する。尚、案内放送の文言を記憶した音声ＲＯＭ（図示せず）は、この場合制御機６１に内蔵されている。
【００４９】
集合玄関機２８から送出された案内放送を聞いた来訪者が集合玄関機２８を録音操作したら、制御機６１は録音開始信号を居室親機２９に送信して、来訪者のメッセージを居室親機２９の録音部４７に録音させる制御を行う。録音動作に入った居室親機２９の親機制御部５０は、タイマー４６により１５秒間カウントして録音を行い、録音が終了したら録音終了信号を制御機６１に伝送する。制御機６１は、この信号を受けて集合玄関機２８と居室親機２９の間の通話路を遮断する。その他の動作は上述の実施例と同様に成される。
【００５０】
このように、制御機に各居室親機の録音設定情報を登録することで、居室親機からの信号を待つことなく制御機の制御でメッセージ録音の案内放送の送出や録音操作を実施でき、来訪者の待ち時間を短くできる。また、案内放送の内容は制御機が記憶しているので、音声ＲＯＭを制御機に設ければ良く、即ち集合住宅内に一つ設ければ良く、コストを削減できる。
【００５１】
尚、この図６に示す実施例では、制御機６１にメモリ６２（設定登録部）を設けて個々の居室親機２９の録音設定状態を登録して制御機６１の制御で録音操作しているため、所定時間の計時を行うタイマ４６を制御機６１に設けることも可能となる。こうすることで録音終了も制御機６１で判断でき、メッセージの録音開始及び録音終了の全てを制御機６１が制御でき、録音動作を更にスピーディーにできるし、各居室親機２９にタイマ４６を設ける必要が無くなり更にコストダウンできる。
また、制御機６１にメモリ６２を設けた構成の場合も、録音ボタン３８を押している間のみ録音するよう構成しても良く、上記と同様の効果を得ることができる。
更に、上記集合住宅インターホンシステムは、録音ボタン３８を専用のボタンとしているが、呼出ボタン３５やテンキー３４等の操作部と兼用させても良い。これにより、部品点数が削減できる。
【図面の簡単な説明】
【００５２】
【図１】本発明に係るインターホン装置の実施形態の一例を示す構成図である。
【図２】図１の居室親機の回路ブロック図である。
【図３】本発明に係る集合住宅インターホンシステムの実施形態の一例を示す構成図である。
【図４】図３の居室親機の回路ブロック図である。
【図５】図３の制御機の回路ブロック図である。
【図６】集合住宅インターホンシステムの他の例を示す制御機の回路ブロック図である。
【符号の説明】
【００５３】
１・・玄関子機、２・・居室親機、３・・呼出ボタン、７・・録音ボタン（録音操作部）、２０・・録音設定ボタン（録音設定部）、２２・・録音部、２５・・親機制御部（録音制御手段）、２８・・集合玄関機、２９・・居室親機、３０・・制御機、３４・・テンキー、３５・・呼出ボタン、３８・・録音ボタン（録音操作部）、４５・・録音設定ボタン（録音設定部）、４７・・録音部、５０・・親機制御部（録音制御手段）、５８・・ＣＰＵ、６１・・制御機、６２・・メモリ（設定登録部）。
【図１】
2007174093.tif 000003
【図２】
2007174093.tif 000004
【図３】
2007174093.tif 000005
【図４】
2007174093.tif 000006
【図５】
2007174093.tif 000007
【図６】
2007174093.tif 000008